(57)【要約】【課題】  アイテムの種類、使用順位などを分かりやすく表示するとともに、容器の装飾機能も併せ持った識別表示を備えた化粧品容器セットおよびその表示方法の提供。【解決手段】  それぞれ互いに異なる化粧料を収容した複数の容器より構成される化粧品容器セットであって、前記容器の各々１以上の面には、容器ごとに異なり、かつ、前記複数の容器を特定の順番で並べたときに互いに２以上の関連性をもって表示されるように識別表示を設けたことを特徴とする化粧品容器セット。【選択図】  図２
2008149053.tif 000002
【特許請求の範囲】
【請求項１】
それぞれ互いに異なる化粧料を収容した複数の容器より構成される化粧品容器セットであって、前記容器の各々１以上の面には、容器ごとに異なり、かつ、前記複数の容器を特定の順番で並べたときに互いに２以上の関連性をもって表示されるように識別表示を設けたことを特徴とする化粧品容器セット。
【請求項２】
前記識別表示が、模様、色の違い、色の濃淡、図形、凹凸、記号、またはこれら属性の組み合わせによる表示であることを特徴とする請求項１に記載の化粧品容器セット。
【請求項３】
前記識別表示が、異なる２以上の、外観的、観念的、及び／又は称呼的な連続性を有する関連性をもって表示されることを特徴とする請求項１または請求項２のいずれかに記載の化粧品容器セット。
【請求項４】
前記２以上の識別表示が、前記複数の容器それぞれにおいて、各々同一面に設けられたことを特徴とする請求項１ないし請求項３のいずれかに記載の化粧品容器セット。
【請求項５】
前記２以上の識別表示が、前記複数の容器それぞれにおいて、各々異なった面に設けられたことを特徴とする請求項１ないし請求項３のいずれかに記載の化粧品容器セット。
【請求項６】
互いに相違する識別表示を設けた複数の化粧品容器を用いて、該容器を特定の順番で並べることにより前記識別表示が２種以上の関連性をもって表示される化粧品容器の表示方法。
【発明の詳細な説明】
【技術分野】
【０００１】
本発明は、化粧品容器セットおよびその表示方法に関し、更に詳細には、複数の容器にそれぞれ互いに異なる識別表示を設け、該容器を特定の順番に並べたときに、その識別表示が２以上の関連性をもって表示される容器およびその表示方法に関するものである。
【背景技術】
【０００２】
近年、化粧品の種類における各アイテムの名称はメーカー、ブランドなどにより様々であり、また化粧品の使用システムにおける各アイテムの使用順序も様々である。化粧水を例にとっても、表示される名称は「ローション」、「エンリッチローション」、「ソフナー」など他の商品と差別化を図るために新たな呼び方にすることも多い。また、美容液などのスペシャルアイテムなどは、同メーカーにおいてもブランドにより使用順序の位置が異なることがあり、ユーザーにとってはわかりにくいものとなっている。カウンセリング販売では、売り場で使用順序などについて説明を受けることもできるが、表示される文字も小さく、特に高齢者にとっては、どのように使用してよいのか、またどのような順序で何を使用してよいのか、判断に困ることが少なくなかった。
【０００３】
従来、このような問題を解決するために、「化粧水」「乳液」などの文字を印刷したシールを別途作成し、容器に添付するというサービスを行うところもあったが、容器の外観を損ねてしまう場合があり、外観の美を重要視する化粧品の特質上、十分な方法とはいえなかった。また、各人の使用に適した化粧品群を表示する手段が、特許文献１に開示されてはいるものの、このものは、１つの商品特性（どの肌性に対応するか）のみを表示するものであって、複数の使用方法を提示するものではなかった。そこで、アイテムの種類の判別、複数存在する使用順序の場面に応じた選択などを年齢、性別、化粧経験の多さ等にかかわらずわかり易く表示するとともに、容器の外観も損ねることのない化粧品容器の表示手段が求められていた。
【０００４】
【特許文献１】特開２００１−２８６３３４
【発明の開示】
【発明が解決しようとする課題】
【０００５】
そこで本発明は、従来の化粧品容器セットのかかる欠点を克服し、アイテムの種類、使用順位などを分かりやすく表示するとともに、容器の装飾機能も併せ持った識別表示を備えた化粧品容器セットおよびその表示方法の提供をその課題とするものである。
【課題を解決するための手段】
【０００６】
本発明は、上記課題を解決するものであり、それぞれ互いに異なる化粧料を収容した複数の容器より構成される化粧品容器セットであって、前記容器の各々１以上の面には、容器ごとに異なり、かつ、前記複数の容器を特定の順番で並べたときに２以上の関連性をもって表示されるように識別表示を設けたことを特徴とする化粧品容器セットである。
【発明の効果】
【０００７】
本発明の化粧品容器セットおよび表示方法は、商品としての見た目の美しさを欠くことなく、化粧品の各アイテムの種類の判別、複数存在する使用順序の場面に応じた選択などが年齢、性別、化粧経験の豊富さにかかわらず分かりやすく、化粧品セットの使用時における順序やアイテムの錯誤を低減することができる。
【０００８】
すなわち、本発明の化粧品容器セットでは、セットを構成するそれぞれの容器に、互いに相違する識別表示が設けられているが、それらの識別表示は、所定の順番で並べたときに互いに連続性を有する関連性をもって表示され、しかもその関連性を複数示すことができるため、文字や数字などを使用した場合と異なり、瞬時に、より視覚的に把握でき、よって、１つのセットで複数存在する化粧品の使用順序や使用アイテムがより憶えやすく、また、認識しやすくなる。
【発明を実施するための最良の形態】
【０００９】
以下、本発明の化粧品容器セットの実施態様を、図面に基づいて具体的に説明する。なお、本発明はこれら実施態様に何ら制約されるものではない。
【００１０】
図１は本発明に係る化粧品容器セットの斜視図である。図中、1は本発明に係る化粧品容器のセットを、１０は容器本体、１１と１２は識別表示をそれぞれ示す。
【００１１】
図１に示すように、本発明に係る化粧品容器セットは、容器本体１０の同一面上にそれぞれ、識別表示１１のみ形成されたもの、識別表示１２のみ形成されたもの、識別表示１１および識別表示１２が形成されたもの、の三通りに識別表示が形成され、識別表示１１、１２およびこれらの組み合わせがそれぞれ１つの模様を形成した４種類の容器の組み合わせによって構成される。
【００１２】
図１のようにランダムに化粧品容器セット１が置かれている場合には、特定の容器に形成された識別表示１１又は１２は、その他の容器に形成された識別表示１１又は１２との関連性を有さないため、一見したところ、容器に施された単なるデザインの一部となっている。
【００１３】
図２および図３は、各容器の識別表示１１または識別表示１２が容器の組み合わせによってそれぞれ直線的な連続性を表示するように並べた様子を表す正面図である。図２および図３に示すように、特定のアイテムを特定の順番で並べたときには、それぞれの容器に形成された識別表示は、識別表示１１の組み合わせによる連続性と、識別表示１２の組み合わせによる連続性に対応する、２つの異なる関連性を示す。
【００１４】
そこで、例えば、識別表示１１による第一の関連性を朝使用の化粧料、識別表示１２による第二の関連性を夜使用の化粧料のアイテムおよび使用順序を表す、とあらかじめ定めておけば、識別表示に応じて容器を並べるだけで、朝と夜に使用すべきアイテムおよびその順序を容易に認識できる。
【００１５】
具体的には、それぞれの識別表示が有する連続性に応じて、使用順序をあらかじめ決めておく。すなわち、図２の例では、識別表示１１が高い方から低い方へと変化する順に使用することにしておけば、その正しい使用順序および使用アイテムは、Ｄ→Ｃ→Ｂ、となる（Ａは使用アイテムから外れる）。かかる順序および使用アイテムは、図１のように各容器をランダムに置いている状態では、即座に認識することは不可能であるが、図２のように、識別表示１１が連続性を有するように並べ替えれば、瞬時に、視覚的、感覚的に認識できるようになる。夜使用する化粧品に関しても同様に定めておけば、図３のように、識別表示１２が連続性を有するように並べ替えることにより、その正しい使用順序（Ｄ→Ｃ→Ａ）および使用アイテム（Ｂは使用アイテムから外れる）を認識することができる。
【００１６】
化粧品容器セット１では、識別表示１１と識別表示１２はともにライン状に形成され、互いに色の違いや濃淡などによって区別されるが、このほかに、模様や形状の違いなどで区別してもよく、特に形状は、凹凸など容器本体上に施された立体形状でも良い。
【００１７】
さらに、一の容器に形成された識別表示と他の容器に形成された識別表示との関連性は、化粧品容器セット１のように外観的なものでもよいが、これを、観念的、又は称呼的もしくはそれらの組み合わせによって連続性を有するものとしても良い。外観的なものに観念的な要素を組み合わせた例としては、例えば、朝使用および夜使用をそれぞれ異なる花で表し、それらの花が蕾から徐々に開花し花開く過程を段階的に描写した識別表示を各容器に形成しておく。使用者は、花の成長を時系列に辿っていくことにより、使用する順番を認識することができる。
【００１８】
図４ないし図６は本発明の別の実施態様である化粧品容器セットを示したものである。図４は容器をランダムに置いた場合の斜視図、図５および図６は特定の容器を特定の順番で並べた様子を表す正面図をそれぞれ示す。図中、２は化粧品容器セット、２０は容器本体、２１と２２は識別表示をそれぞれ示す。
【００１９】
図４のようにランダムに化粧品容器セット２が置かれている場合には、特定の容器の異なる面に形成された識別表示２１又は２２は、その他の容器に形成された識別表示２１又は２２との関連性を有さないため、一見したところ、容器に施された単なるデザインの一部となっている。
【００２０】
図５は、化粧品容器セット２を識別表示２１が連続性を有するように並べ替えた例である。ここで、識別表示２１の組み合わせは太陽の図柄を表示する。したがって、例えば、容器の高さの高い方から低い方へと順に使用することにしておけば、その正しい使用順序および使用アイテムは、ロ→イ→ハ、となる（ニは使用アイテムから外れる）。また、図６は化粧品容器セット２を識別表示２２が連続性を有するように並べ替えた例であり、識別表示２２の組み合わせは月の図柄を表示する。使用順序に関しては、上記と同様にしておけば、その正しい使用順序および使用アイテムは、ロ→イ→ニ、となる（ハは使用アイテムから外れる）。
【００２１】
図５および図６のように、識別表示の組み合わせが朝や昼を直接もしくは関節的に表す太陽や月の図柄を構成すように形成し、朝使用は太陽の図柄、夜使用は月の図柄とあらかじめ定めておけば、視覚的にもより理解しやすく、特に、高齢者の方などにとっても間違いが生じにくい。  
【００２２】
図７は本発明の別の実施態様である化粧品容器セットを示した正面図である。図中、３は化粧品容器セット、３０は容器本体、３１は識別表示をそれぞれ示す。
【００２３】
化粧品容器セット３では、識別表示は１種類のみで構成される。具体的には、識別表示３１は月の満ち欠けを表示する図柄となっている。したがって、例えば、脂性肌の人の場合は月が昇っていく順に使用することにしておけば、その正しい使用順序は、ａ→ｂ→ｃ→ｄ、となり、また、乾燥肌の人の場合は月が満ちていく順に使用することにしておけば、その正しい使用順序は、ａ→ｄ→ｂ→ｃ、となる。このように、１種類の識別表示によって２つの異なる関連性を示すようにしてもよい。
【図面の簡単な説明】
【００２４】
【図１】本発明に係る化粧品容器セットを示す正面図。
【図２】図１の化粧品容器セットで第一の組み合わせを示す正面図。
【図３】図１の化粧品容器セットで第二の組み合わせを示す正面図。
【図４】本発明に係る化粧品容器セットの異なる実施態様を示す斜視図。
【図５】図５の化粧品容器セットで第一の組み合わせを示す正面図。
【図６】図５の化粧品容器セットで第二の組み合わせを示す正面図。
【図７】本発明に係る化粧品容器セットの異なる実施態様を示す正面図。
【符号の説明】
【００２５】
１  …  …  化粧品容器セット
２  …  …  化粧品容器セット
３  …  …  化粧品容器セット
１０  …  …  容器本体
１１  …  …  識別表示
１２  …  …  識別表示
２０  …  …  容器本体
２１  …  …  識別表示
２２  …  …  識別表示
３１  …  …  識別表示
以    上
【図１】
2008149053.tif 000003
【図２】
2008149053.tif 000004
【図３】
2008149053.tif 000005
【図４】
2008149053.tif 000006
【図５】
2008149053.tif 000007
【図６】
2008149053.tif 000008
【図７】
2008149053.tif 000009